(57)【要約】データシンボルのシーケンスの伝送制御方法は，データシンボルのシーケンス内の基準シンボルを識別する（Ｓ４１）。次に，シーケンス内の基準シンボルに続くデータシンボルが，新規データユニット生成スキームに基づいて，新規データユニットの新規シーケンスに分割される（Ｓ４２）。古い送信側伝送記録内のデータユニットに関連した送信側伝送状態情報を，所与の送信側伝送記録用のマッピングスキームによって新規データユニット上にマッピングすることで，新規の送信側伝送記録を生成する（Ｓ４３）。古い受信側伝送記録内の古いデータユニットに関連した受信側伝送状態情報を，所定のマッピングスキームに従って新規データユニット上にマッピングすることで，新規の受信側伝送記録を生成する（Ｓ４４）。データシンボルの伝送制御及び再編成のための制御が，新規に生成した伝送記録を基に再開する（Ｓ４５）。
2006515482.tif 000002
【特許請求の範囲】
【請求項１】
所定の通信レイヤ（Ｌｍ）により提供された通信接続上でデータシンボルのシーケンスの伝送を制御する方法であり：
前記通信接続では送信ピアと受信ピアとを有しており，前記所定のデータシンボルのシーケンスが，第１データユニット生成スキームに基づいて第１データユニットのシーケンスに分割されており，
前記第１データユニットが前記送信ピアから前記受信ピアに送信され，前記受信ピアが送信ピアにフィードバックメッセージを送信するフィードバック機構が実現され，前記フィードバックメッセージが，前記送信ピアが受信したデータユニットの受信に関する情報を有しており，
前記送信ピアが，該送信ピアの内部にて各データユニットが送信側伝送状態情報に関連付けられているデータユニットの第１送信側伝送記録を保持しており，
前記受信ピアが，該受信ピアの内部にて各データユニットが受信側伝送状態情報に関連付けられているデータユニットの第１受信側伝送記録を保持しており，
前記通信接続上でのデータユニットの伝送制御が，前記送信側伝送記録に基づいて実施され，前記データシンボルのシーケンスの再編成が，前記受信側伝送記録に基づいて実施され，
前記通信接続上でデータシンボルのシーケンスの伝送を制御する方法では，
複数のデータシンボルからなるシーケンスのうち基準シンボルを識別し；
第２データユニット生成スキームに基づいて，前記データシンボルのシーケンス内の前記基準シンボルに続くデータシンボルを第２データユニットのシーケンスに分割し；
前記第１送信側伝送記録内のデータユニットに関連した前記送信側伝送状態情報を，送信側伝送記録のための所定のマッピングスキームに従って，前記第２データユニット上にマッピングすることで，第２送信側伝送記録を生成し；
前記第１受信側伝送記録内のデータユニットに関連した前記受信側伝送状態情報を，受信側伝送記録のための所定のマッピングスキームに従って，前記第２データユニット上にマッピングすることで，第２受信側伝送記録を生成し；さらに，
前記第２送信側伝送記録に基づいて，前記第２データユニットの伝送制御を実行し，前記第２受信側伝送記録に基づいて，前記データシンボルのシーケンスの再編成を実行することを特徴とする，データシンボルのシーケンスの伝送を制御する方法。
【請求項２】
前記送信側伝送状態情報は，少なくとも，
正確に受信したことを確認済みの状態と；
正確に受信したことが未確認の状態と；
を区別するのに用いられ，
前記受信側伝送状態情報は，少なくとも，
正確に受信済みである状態と；
正確に受信されていない状態と；
を区別するのに用いられ，
前記送信側伝送記録のためのマッピングスキームは，
前記正確に受信したことが未確認の状態を，該正確に受信したことが未確認の状態に関連した第１データユニットに属した少なくとも１つのデータシンボルを含む各第２データユニット上に各々マッピングし；
前記正確な受信を確認済みの状態を，該正確な受信を確認済みの状態に関連する第１データユニットに全て属したデータシンボルを完全に含む各第２データユニット上に各々マッピングし；
さらに，受信側伝送記録のための前記マッピングスキームは，
前記正確に受信されていない状態を，該正確に受信されていない状態に関連した第１データユニットに属した少なくとも１つのデータシンボルを含む各第２データユニット上に各々マッピングし；さらに，
前記正確に受信済みの状態を，該正確に受信済みの状態に関連する第１データユニットに全て属したデータシンボルを完全に含む各第２データユニット上に各々マッピングすることを特徴とする，請求項１に記載のデータシンボルのシーケンスの伝送を制御する方法。
【請求項３】
データシンボルのシーケンスを伝送するために所定の通信レイヤによって提供された通信接続の送信ピアとして動作する通信装置を制御する方法であり，前記通信接続についてフィードバック機構が実現されており，これにより，通信接続の受信ピアが接続先の送信ピアにフィードバックメッセージを送信し，前記フィードバックメッセージが，通信接続上で送信されたデータユニットの受信に関する情報を備えており，
前記データシンボルのシーケンスを伝送するために所定の通信レイヤによって提供された通信接続の送信ピアとして動作する通信装置を制御する方法は，
前記データシンボルのシーケンスを，第１データユニット生成スキームに基づいて，第１データユニットのシーケンスに分割し；
前記第１データユニットを，前記送信ピアの内部で各データユニットが送信側伝送状態情報に関連付けられているデータユニットの第１送信側伝送記録に基づいて，前記通信接続先の受信ピアに送信を制御し；
前記データシンボルの送信について，
前記データシンボルからなるシーケンス内の基準シンボルを取得することと；
第２データユニット生成スキームに基づいて，前記データシンボルからなるシーケンス内で前記基準シンボルに続くデータシンボルを第２データユニットのシーケンスに分割することと；
前記第１送信側伝送記録内のデータユニットに関連した前記送信側伝送状態情報を，送信側伝送記録のための所定のマッピングスキームに従い，前記第２データユニット上にマッピングすることで，第２送信側伝送記録を生成することと；さらに，
前記第２送信側伝送記録に基づいて，前記第２データユニットの送信を制御することと；
が実行されることによって伝送を変更することを特徴とする，通信装置を制御する方法。
【請求項４】
前記送信側伝送状態情報は，少なくとも，
正確に受信したことを確認済みの状態と；
正確に受信したことが未確認の状態と；
を区別するのに用いられ，
送信側伝送記録のための前記マッピングスキームは，
前記正確に受信したことが未確認の状態を，該正確に受信したことが未確認の状態に関連した第１データユニットに属した少なくとも１つのデータシンボルを含む各第２データユニット上に各々マッピングし；さらに，
前記正確に受信したことを確認済みの状態を，該正確に受信したことを確認済みの状態に関連する第１データユニットに属した全てのデータシンボルを完全に含む各第２データユニット上に各々マッピングすることを特徴とする，請求項３に記載の通信装置を制御する方法。
【請求項５】
前記送信側伝送状態情報は，さらに前記正確に受信したことが未確認の状態について，
送信済みだが正確な受信は未確認の状態と；
未送信の状態と；
を区別するのに用いられ，
前記送信側伝送記録のための前記マッピングスキームは，
前記未送信の状態を，該未送信の状態に関連した第１データユニットに属した少なくとも１つのデータシンボルを含む各第２データユニット上に各々マッピングし；さらに，
前記送信済みだが正確な受信は未確認の状態を，該送信済みだが正確な受信は未確認の状態に関連した第１データユニットに属した少なくとも１つのデータシンボルを含み，また，前記未送信の状態に関連した第１データユニットに属したデータシンボルを含んでいない各第２データユニット上に各々マッピングすることを特徴とする，請求項４に記載の通信装置を制御する方法。
【請求項６】
前記第１データユニット生成スキームは，所定の第１サイズの前記第１データユニットを生成し，前記第２データユニット生成スキームは，所定の第２サイズの前記第２データユニットを生成し，前記第２サイズが前記第１サイズと異なることを特徴とする，請求項３〜５のいずれか１項に記載の通信装置を制御する方法。
【請求項７】
前記伝送を変更することは，前記通信接続の再構成，又は，前記通信接続の新規受信ピアへのハンドオーバによって誘発され，前記通信装置が，前記送信ピアとしての動作を続けるが，前記再構成又はハンドオーバ後に，前記第２送信側伝送記録に基づいて，前記第２データユニット送信制御の実行も行うことであることを特徴とする，請求項３〜６のいずれか１項に記載の通信装置を制御する方法。
【請求項８】
前記伝送を変更することは，前記通信接続の第２送信ピアへのハンドオーバによって誘発され，前記通信装置がさらに前記第２送信ピアとして動作し，ここで，前記ハンドオーバ後に，前記第２送信ピアが，前記第２送信側伝送記録に基づいて，前記第２データユニットの送信制御を実行することであることを特徴とする，請求項３〜７のいずれか１項に記載の通信装置を制御する方法。
【請求項９】
前記通信装置は，前記通信接続の受信側から送信されたメッセージを受信することで，前記基準シンボルを取得することを特徴とする，請求項３〜８のいずれか１項に記載の通信装置を制御する方法。
【請求項１０】
前記通信装置は，送信制御を行うためにスライディング・ウインドウ技術を使用し，この場合，前記第２送信記録及び前記第２受信記録に基づき前記第２データユニットの送信制御に使用される，データシンボルのシーケンスに関連したスライディング・ウインドウの初期ローエンドが前記基準シンボルであることを特徴とする，請求項３〜９のいずれか１項に記載の通信装置を制御する方法。
【請求項１１】
前記送信側伝送状態情報は，
前記データユニットに関連した時間値と；
前記データユニットに関連した再送信の試みの回数と；
前記データユニットに関連した信頼性と；
前記データユニットに関連した優先順位と；
のうち少なくとも１つに関する情報を含むことを特徴とする，請求項３〜１０のいずれか１項に記載の通信装置を制御する方法。
【請求項１２】
前記データシンボルは，上位レイヤ（Ｌ（ｍ＋１））のプロトコルのデータユニットの形式にて前記通信レイヤ（Ｌｍ）に供給され，前記基準シンボルの識別は，前記受信ピアにより全てのデータシンボルが前記基準シンボルとして正確に受信された，１つ前の上位レイヤのプロトコルのデータユニットに続く，より上位レイヤのプロトコルのデータユニットの第１データシンボルを決定することを特徴とする，請求項３〜１１のいずれか１項に記載の通信装置を制御する方法。
【請求項１３】
各第１データユニット内のデータシンボルの個数が変更可能であり，前記通信装置が，受信側が第１データユニット上で正確に受信していない接続の受信側から情報を受信するよう編成されており，これに応答して，各第１データユニット内に含まれている，前記受信側によって正確に受信されていないデータシンボルの個数に関する情報を接続先の受信側に送信することを特徴とする，請求項３〜１２のいずれか１項に記載の通信装置を制御する方法。
【請求項１４】
データシンボルのシーケンスを送信するために所定の通信レイヤにより提供された通信接続する送信ピアとして動作する通信装置を制御する制御方法であり：
前記通信接続にフィードバック機構が実現されており，これにより，通信接続する受信ピアが接続先の送信ピアにフィードバックメッセージを送信し，前記フィードバックメッセージが，接続上で送信されたデータユニットの受信に関する情報を備えており，
前記制御方法は，
前記接続の先行の送信ピアから，データシンボルのシーケンスと，第１データユニット生成スキームに従って生成されたデータユニットの第１送信側伝送記録とを受信し，この記録内で，各データユニットが送信側伝送状態情報に関連付けられており，
前記データシンボルからなるシーケンス内から基準シンボルを取得し；
第２データユニット生成スキームに基づいて，前記データシンボルからなるシーケンス内の前記基準シンボルに続くデータシンボルを，第２データユニットのシーケンスに分割し；
前記第１送信側伝送記録内のデータユニットに関連した前記送信側伝送状態情報を，送信側伝送記録のための所定マッピングスキームに従って前記第２データユニット上にマッピングすることで，第２送信側伝送記録を生成し；さらに，
前記第２送信側伝送記録に基づいて，前記接続上で前記データユニットの送信を制御することを特徴とする，制御方法。
【請求項１５】
前記送信側伝送状態情報は，少なくとも，
正確に受信したことを確認済みの状態と；
正確に受信したことが未確認の状態と；
を区別するのに用いられ，
前記送信側伝送記録のための前記マッピングスキームは，
前記正確に受信したことが未確認の状態を，該正確に受信したことが未確認の状態に関連する第１データユニットに属した少なくとも１つのデータシンボルを含む各第２データユニット上に各々マッピングし，さらに，
前記正確に受信したことを確認済みの状態を，正確な受信を確認済みの状態に関連する第１データユニットに全て属したデータシンボルを完全に含んでいる各第２データユニット上に各々マッピングすることを特徴とする，請求項１４に記載の制御方法。
【請求項１６】
前記送信側伝送状態情報は，さらに前記正確に受信したことが未確認の状態について，
送信済みだが正確な受信は未確認の状態と；
未送信の状態と；
を区別するのに用いられ，
前記送信側伝送記録のための前記マッピングスキームは，
前記未送信の状態を，該未送信の状態に関連した第１データユニットに属した少なくとも１つのデータシンボルを含む各第２データユニット上に各々マッピングし；
前記送信済みだが正確な受信は未確認の状態を，該送信済みだが正確な受信は未確認の状態に関連している第１データユニットに属した少なくとも１つのデータシンボルを含み，また，前記未送信の状態に関連した第１データユニットに属したデータシンボルを含んでいない各第２データユニット上に各々マッピングすることを特徴とする，請求項１５に記載の制御方法。
【請求項１７】
前記第１データユニット生成スキームは，所定の第１サイズの前記第１データユニットを生成し，前記第２データユニット生成スキームは，所定の第２サイズの前記第２データユニットを生成し，前記第２サイズが前記第１サイズと異なることを特徴とする，請求項１４〜１６のいずれか１項に記載の制御方法。
【請求項１８】
前記通信装置は，前記通信接続している受信側から送信されたメッセージを受信することで，前記基準シンボルを取得することを特徴とする，請求項１４〜１７のいずれか１項に記載の制御方法。
【請求項１９】
前記通信装置は，送信を制御するためのスライディング・ウインドウ技術を使用し，この場合，前記第２送信側伝送記録に基づいた前記第２データユニットの送信制御に使用される，データシンボルのシーケンスに関連したスライディング・ウインドウの初期ローエンドが前記基準シンボルであることを特徴とする，請求項１４〜１８のいずれか１項に記載の制御方法。
【請求項２０】
前記送信側伝送状態情報は，
前記データユニットに関連した時間値と；
前記データユニットに関連した再送信の試みの回数と；
前記データユニットに関連した信頼性と；
前記データユニットに関連した優先順位と；
のうち少なくとも１つに関する情報を含むことを特徴とする，請求項１４〜１９のいずれか１項に記載の制御方法。
【請求項２１】
前記データシンボルは，上位レイヤ（Ｌ（ｍ＋１））のプロトコルのデータユニットの形式にて前記通信レイヤ（Ｌｍ）に供給され，
前記基準シンボルの識別は，前記受信ピアにより全てのデータシンボルが前記基準シンボルとして正確に受信された１つ前である上位レイヤのプロトコルのデータユニットに続く，より上位レイヤのプロトコルのデータユニットの第１データシンボルを決定することを特徴とする，請求項１４〜２０のいずれか１項に記載の制御方法。
【請求項２２】
各第１データユニット内のデータシンボルの個数が変更可能であり，前記通信装置が，受信側が第１データユニット上で正確に受信していない接続の受信側から情報を受信するよう編成されており，これに応答して，各第１データユニット内に含まれている，前記受信側によって正確に受信されていないデータシンボルの個数に関する情報を接続先の受信側に送信することを特徴とする，請求項１４〜２１のいずれか１項に記載の制御方法。
【請求項２３】
データシンボルのシーケンスを送信するために所定の通信レイヤにより提供された通信接続する受信ピアとして動作する通信装置を制御する制御方法であり：
前記通信接続にフィードバック機構が実現され，これにより，通信接続する受信ピアが，接続先の送信ピアにフィードバックメッセージを送信し，前記フィードバックメッセージが，接続上で送信されたデータユニットの受信に関する情報を備えており，また，送信ピアが前記データシンボルのシーケンスを，第１データユニット生成スキームに基づいて第１データユニットのシーケンスに分割し，各データユニットが送信側伝送状態情報に関連しているデータユニットの第１送信側伝送記録に基づいて，前記接続の受信ピアへの前記第１データユニットの送信を制御し，
前記制御方法は，
各々の第１データユニットが受信側伝送状態情報に関連している第１データユニットの第１受信側伝送記録を保持することにより，また，前記第１受信側伝送記録に基づいて前記データシンボルのシーケンスを再編成することにより，前記データシンボルのシーケンス送信を実施し；
前記データシンボルの送信を，
前記データシンボルからなるシーケンスのうち基準シンボルを取得することと，
前記データシンボルのシーケンス内の前記基準シンボルに続くデータシンボルを，第２データユニット生成スキームに基づいて，第２データユニットのシーケンスに分割することと，
前記第１受信側伝送記録内のデータユニットに関連した前記受信側伝送状態情報を，受信側伝送記録のための所定のマッピングスキームに関連して，前記第２データユニット上にマッピングすることで，第２受信側送信記録を生成することと，さらに，
前記第２受信側伝送記録に基づいて，前記データシンボルのシーケンスを再編成することと，
により変更することを特徴とする，制御方法。
【請求項２４】
前記受信側伝送状態情報は，少なくとも，
正確に受信済みの状態と；
正確に受信されていない状態と；
を区別するのに用いられ，
前記受信側伝送記録のための前記マッピングスキームは，
前記正確に受信されていない状態を，該正確に受信されていない状態に関連した第１データユニットに属している少なくとも１つのデータシンボルを含む各第２データユニット上に各々マッピングし；さらに，
前記正確に受信済みの状態を，該正確に受信済みの状態に関連した第１データユニットに属した全てのデータシンボルを完全に含んでいる各第２データユニット上に各々マッピングすることを特徴とする，請求項２３に記載の制御方法。
【請求項２５】
前記第１データユニット生成スキームは，所定の第１サイズの前記第１データユニットを生成し，前記第２データユニット生成スキームが，所定の第２サイズの前記第２データユニットを生成し，前記第２サイズが前記第１サイズと異なることを特徴とする，請求項２３又は２４のいずれか１項に記載の制御方法。
【請求項２６】
前記データユニット伝送の変更は，前記通信接続の再編成，又は，前記新規送信ピアへの接続のハンドオーバによって誘発され，前記通信装置が前記受信ピアとしての動作を継続するが，前記再編成又はハンドオーバの後に，前記第２受信側伝送記録に基づいて，前記データシンボルのシーケンスの再編成を実行することであることを特徴とする，請求項２３〜２５のいずれか１項に記載の制御方法。
【請求項２７】
前記データユニット伝送の変更は，第２受信ピアへの前記接続のハンドオーバによって誘発され，前記通信装置がさらに第２受信ピアとして動作し，この場合，前記第２受信ピアが，前記ハンドオーバ後に，前記第２受信機側送信記録に基づいて前記データシンボルのシーケンスの再編成を実行することであることを特徴とする，請求項２３〜２６のいずれか１項に記載の制御方法。
【請求項２８】
前記基準シンボルが，前記通信装置によって実施される手順から取得されることを特徴とする，請求項２３〜２７のいずれか１項に記載の制御方法。
【請求項２９】
前記データシンボルが，上位レイヤ（Ｌ（ｍ＋１））のプロトコルのデータユニットの形式にて前記通信レイヤ（Ｌｍ）に供給され，ここで，前記基準シンボルを取得する手順が，前記基準シンボルとして，全てのデータシンボルが前記通信装置によって正確に受信されたより上位レイヤのプロトコルのデータユニットの第１データシンボルを決定することを特徴とする，請求項２８に記載の制御方法。
【請求項３０】
前記受信側伝送状態情報は，
前記データユニットに関連した時間値と；
前記データユニットに関連した再送信の試みの回数と；
前記データユニットに関連した信頼性と；
前記データユニットに関連した優先順位と；
のうち少なくとも１つに関する情報を含むことを特徴とする，請求項２３〜２９のいずれか１項に記載の制御方法。
【請求項３１】
各第１データユニット内のデータシンボルの個数が変更可能であり，ここで，通信装置が，前記第２受信側伝送記録を生成するステップの前に，各第１データユニット内に含まれる，前記通信装置が正確に受信しなかったデータシンボルの個数に関する情報を接続している送信者側から受信するように編成されていることを特徴とする，請求項２３〜３０のいずれか１項に記載の制御方法。
【請求項３２】
データシンボルのシーケンスを送信するために所定の通信レイヤによって提供された接続の受信ピアとして動作する通信装置を制御する制御方法であり：
前記通信接続にフィードバック機構が実現され，これにより，通信接続する受信ピアが，接続先の送信ピアにフィードバックメッセージを送信し，前記フィードバックメッセージが，接続上で送信されたデータユニットの受信に関する情報を備えており，
前記制御方法は，
前記接続の先行の受信ピアから，データシンボルのシーケンスと，第１データユニット生成スキームに従って生成されたデータユニットの第１受信側伝送記録とを受信し，この記録内で，各データユニットが受信側伝送状態情報と関連付けられており，
前記データシンボルからなるシーケンス内から基準シンボルを取得し；
第２データユニット生成スキームに基づいて，前記データシンボルからなるシーケンス内の前記基準シンボルに続くデータシンボルを，第２データユニットのシーケンスに分割し；
前記第１受信側伝送記録内のデータユニットに関連した前記受信側伝送状態情報を，受信側伝送記録のための所定のマッピングスキームに従って，前記第２データユニット上にマッピングすることにより，第２受信側伝送記録を生成し；さらに，
前記第２受信側伝送記録に基づいて，前記データシンボルのシーケンスを再編成することを特徴とする，制御方法。
【請求項３３】
前記受信側伝送状態情報は，少なくとも，
正確に受信済みの状態と；
正確に受信されていない状態と；
を区別するのに用いられ，
前記受信側伝送記録のための前記マッピングスキームが，
前記正確に受信されていない状態を，該正確に受信されていない状態に関連した第１データユニットに属した少なくとも１つのデータシンボルを含む各第２データユニット上に各々マッピングし；さらに，
前記正確に受信済みの状態を，該正確に受信済みの状態に関連した第１データユニットに属した全てのデータシンボルを完全に含む各第２データユニット上に各々マッピングすることを特徴とする，請求項３２に記載の制御方法。
【請求項３４】
前記第１データユニット生成スキームは，所定の第１サイズの前記第１データユニットを生成し，前記第２データユニット生成スキームが，所定の第２サイズの前記第２データユニットを生成し，前記第２サイズが前記第１サイズと異なることを特徴とする，請求項３２又は３３のいずれか１項に記載の制御方法。
【請求項３５】
前記基準シンボルは，前記通信装置によって実行される手順から取得されることを特徴とする，請求項３２〜３４のいずれか１項に記載の制御方法。
【請求項３６】
前記データシンボルが上位レイヤ（Ｌ（ｍ＋１））のプロトコルのデータユニットの形式にて通信レイヤ（Ｌｍ）に供給され，
前記基準シンボルを取得する前記手順は，前記基準シンボルとして，前記通信装置によって全てのデータシンボルが正確に受信された１つ前である上位レイヤのプロトコルのデータユニットに続く，上位レイヤのプロトコルのデータユニットの第１データシンボルを決定することを特徴とする，請求項３５に記載の制御方法。
【請求項３７】
前記受信側伝送状態情報は，
前記データユニットに関連した時間値と；
前記データユニットに関連した再送信の試みの回数と；
前記データユニットに関連した信頼性と；
前記データユニットに関連した優先順位と；
のうち少なくとも１つに関する情報を含むことを特徴とする，請求項３２〜３６のいずれか１項に記載の制御方法。
【請求項３８】
各第１データユニット内のデータシンボルの個数が変更可能であり，ここで，通信装置が，前記第２受信側伝送記録を生成するステップの前に，各第１データユニット内に含まれている，前記通信装置によって正確に受信されていないデータシンボルの個数に関する情報を接続している送信者側から受信するよう編成されていることを特徴とする，請求項３２〜３７のいずれか１項に記載の制御方法。
【請求項３９】
データシンボルのシーケンスを送信するために所定の通信レイヤによって提供される接続の送信ピアとして動作する通信装置を制御する制御方法であり：
前記通信接続にフィードバック機構が実現され，これにより，通信接続する受信ピアが，接続先の送信ピアにフィードバックメッセージを送信し，前記フィードバックメッセージが，接続上で送信されたデータユニットの受信に関する情報を備えており，
前記制御方法は，
前記データシンボルのシーケンスと，前記データユニット生成スキームに従って生成されたデータユニットの送信側伝送記録とを前記接続の先行の送信ピアから受信し，前記送信側伝送記録において，各データユニットが送信側伝送状態情報と関連しており，
前記データシンボルを，前記データユニット生成スキームに基づいてデータユニットのシーケンスに分割し；
前記接続上での前記データユニットの送信を，前記受信した送信側伝送記録に基づいて制御することを特徴とする，制御方法。
【請求項４０】
データシンボルのシーケンスを送信するために所定の通信レイヤによって提供される接続の受信ピアとして動作する通信装置を制御する制御方法であり：
前記通信接続にフィードバック機構が実現され，これにより，通信接続の受信ピアが，接続している送信ピアにフィードバックメッセージを送信し，前記フィードバックメッセージが，接続上で送信されたデータユニットの受信に関する情報を備えており，
前記制御方法は，
前記接続の先行の受信ピアから，データシンボルのシーケンスと，所定のデータユニット生成スキームに従って生成されたデータユニットの受信側伝送記録とを受信し，前記受信側伝送記録内において，各データユニットが受信側伝送状態情報と関連しており，
前記所定のデータユニット生成スキームに従って生成された前記接続データユニットの受信ピアから受信し；さらに，
前記データシンボルのシーケンスを，前記第２受信側伝送記録に基づいて再編成することを特徴とする，制御方法。
【請求項４１】
データシンボルのシーケンスを送信するために所定の通信レイヤによって提供された通信接続の送信ピアとして動作する通信装置を制御する制御方法であり：
前記通信接続についてフィードバック機構が実現され，これに従って，前記通信接続の受信ピアが，接続している送信ピアにフィードバックメッセージを送信し，前記フィードバックメッセージが，接続上で送信されたデータユニットの受信についての情報を備えており，
前記制御方法は，
前記データシンボルのシーケンスを，第１データユニット生成スキームに基づいて，第１データユニットのシーケンスに分割することと；
内部の各データユニットが送信側伝送状態情報に関連しているデータユニットの第１送信側伝送記録に基づいて，前記接続の受信ピアへの前記第１データユニットの送信を制御することと；
により前記データシンボルのシーケンス送信を実施し，
前記通信装置とは別の通信装置へ，データシンボルのシーケンスと送信側伝送記録を転送することにより，前記データシンボルの伝送の変更を行うことを特徴とする，制御方法。
【請求項４２】
前記別の通信装置へ転送された前記送信側伝送記録が，前記第１送信側伝送記録であることを特徴とする，請求項４１に記載の制御方法。
【請求項４３】
前記データシンボルの伝送の変更がさらに，
前記データシンボルからなるシーケンスのうち基準シンボルを取得し；
前記データシンボルからなるシーケンスのうち前記基準シンボルに続くデータシンボルを，第２データユニット生成スキームに基づいて，第２データユニットのシーケンスに分割し；
前記第１送信側伝送記録内のデータユニットに関連している前記送信者側伝送状態情報を，送信側伝送記録のための所定のマッピングスキームに従って，前記第２データユニット上にマッピングすることで，第２送信側伝送記録を生成し；さらに，
前記第２送信側伝送記録を前記別の通信装置へ転送することを特徴とする，請求項４１に記載の制御方法。
【請求項４４】
データシンボルのシーケンスを送信するために所定の通信レイヤによって提供された接続の受信ピアとして動作する通信装置を制御する制御方法であり：
前記接続についてフィードバック機構が実現され，これに従って，接続の受信ピアが，接続の送信ピアにフィードバックメッセージを送信し，前記フィードバックメッセージが，接続上で送信されたデータユニットの受信についての情報を備えており，
前記制御方法は，
前記接続の送信ピアから，所定のデータユニット生成スキームに従って生成されたデータユニットを，受信することと；さらに，
第１受信側伝送記録に基づいて，前記データシンボルのシーケンスを再編成することと；
により前記データシンボルのシーケンス送信を実施し，
データシンボルのシーケンスと受信側伝送記録を別の通信装置へ転送することで，前記データシンボルの送信の変更を行うことを特徴とする，制御方法。
【請求項４５】
前記別の通信装置へ転送された前記受信側伝送記録が，前記第１受信側伝送記録であることを特徴とする，請求項４４に記載の方法。
【請求項４６】
前記データシンボルの送信の変更は，さらに，
前記データシンボルからなるシーケンスのうち基準シンボルを取得することと；
前記データシンボルのシーケンス内の前記基準シンボルに続くデータシンボルを，第２データユニット生成スキームに基づいて，第２データユニットのシーケンスに分割することと；
前記第１受信側伝送記録内のデータユニットに関連している前記受信者側伝送状態情報を，受信側伝送記録のための所定のマッピングスキームに従って，前記第２データユニット上にマッピングすることで，第２受信側伝送記録を生成することと；さらに，
前記第２受信側伝送記録を前記別の通信装置へ転送することと；
を含むことを特徴とする，請求項４４に記載の制御方法。
【請求項４７】
通信装置上で実行した際に，請求項３〜４６のいずれか１項に記載の方法を実行させるように編成されることを特徴とする，コンピュータプログラム製品。
【請求項４８】
請求項４７に記載のコンピュータプログラム製品を記録することを特徴とする，記録媒体。
【請求項４９】
請求項３〜４６のいずれか１項の方法を実行可能なように編成されることを特徴とする，通信装置。
【請求項５０】
前記通信装置は，モバイル通信ネットワークにおける移動局又は固定局であることを特徴とする，請求項４９に記載の通信装置。
【発明の詳細な説明】
【技術分野】
【０００１】
本発明は，所定の通信レイヤから供給された接続のデータシンボルのシーケンスの送信を制御する方法，このような方法を実施する通信装置を制御する方法，及び関連する通信装置に関する。
【背景技術】
【０００２】
データ通信の分野において，プロトコルレイヤリング技術を使用することが知られている。このプロトコルレイヤリングでは，データ送信時に，１つのレイヤが複数のデータシンボル（ｄａｔａ  ｓｙｂｏｌｓ，例えば，ビット）からなるストリーム又はシーケンス（例えば，ビット）を下位レイヤへ送り，次に，例えば，さらに下位の別のレイヤにデータを送ることでさらなる送信を実行し，また，受信側では，プロトコル階層の各レイヤが受信したデータを再編成し，これをより上位レイヤ（又は，上位層）に向けて上方へ送る。所与のレイヤにおける送信実体と受信実体は，それぞれ送信ピア及び受信ピアと呼ばれる。レイヤリングの一例は，よく知られているＯＳＩモデルである。プロトコルレイヤリング自体は，技術上よく知られているため，ここでは詳細に説明する必要はない。
【０００３】
送信ピアと受信ピア間での通信により，送信ピアと受信ピアが常駐する通信レイヤの接続が提供される。このような通信接続では，所与のデータユニット生成スキームに基づいて，送信するデータシンボル（又は，データシンボル）のシーケンスをデータユニットのシーケンスに分割することが知られている。尚，様々な通信プロトコルとの通信において，データユニットの名称は，例えばパケット，フレーム，セグメント，ブロック，プロトコルデータユニット等のように多様である。本明細書及び特許請求の範囲の中で使用している「データユニット」という用語は総称的なものであり，任意のこのようなデータシンボルの分割を網羅する。
【０００４】
これは，図１中に概略的に示されており，図１では，この場合は０又は１のビットである複数のデータシンボル（又は，データ記号）の系列が，データユニット２２のシーケンス内に配列されている。これらのデータユニットは，ヘッダ１０とペイロードセクション１１を備え，連続する複数のデータシンボルはペイロードセクション１１内に配列されている。データユニット２２は，整数である数値ｎ，ｎ＋１，ｎ＋２，…，ｎによって示す独自のシーケンスを形成している。尚，特定のデータユニット２２の構造は使用する特定のプロトコルに依存し，先述のヘッダとペイロードの構造は単に例証であるが，共通のものである。
【０００５】
シーケンスのデータユニット２２は，通信接続１２上で受信ピアへ送信される。
【０００６】
図２に，より詳細な例を概略的に示す。図２は，第１プロトコルレイヤＬｍと，第１プロトコルレイヤＬｍより上位層の上位レイヤＬ（ｍ＋１）とを示している。ここで，ｍは整数である。参照符号２４は送信ピアを示し，参照符号２５は受信ピアを示す。図２の例では，送信ピア２４が，より上位レイヤＬ（ｍ＋１）からデータユニット２１を受信する。より上位層のデータユニット２１は，データシンボル，例えばビットで構成されている。換言すれば，図２の例では，送信するデータシンボルのシーケンスが，より上位層のデータユニットの形式で受信される。送信ピア２４が，より上位レイヤ（上位層）のデータユニット２１（ｔｈｅ  ｈｉｇｈｅｒ  ｌａｙｅｒ  ｄａｔａ  ｕｎｉｔｓ  ２１）に含まれるデータシンボルのシーケンスからデータユニット２２を生成する。尚，データユニットベースの通信のコンテキストでは，より上位レイヤのデータユニット２１は時に，通信レイヤＬｍに関連してサービスデータユニット（ＳＤＵ）と呼ばれ，その一方で，レイヤＬｍにより生成されたデータユニット２２は，プロトコルデータユニット（ＰＤＵ）と呼ばれる。送信ピア２４がデータユニット２２をより下位のレイヤＬ（ｍ−１）へ送ると，このレイヤが，データユニット２２を，上記したような，より下位のレイヤＬ（ｍ−１）の特定の規則に従ってデータシンボルのストリームとして処理し，受信したデータユニット２２’をレイヤＬｍの受信ピア２５に供給する。プロトコルレイヤＬｍは，より下位のレイヤで実施される処理に気づかないため，送信ピア２４と受信ピア２５の観点から，データユニット２２を送信するためにプロトコル接続１２が確立される。
【０００７】
受信したレイヤＬｍのデータユニットは送信されたデータユニット２２と同一であるべきことが理想的であることを示すために，これらのデータユニットを２２’として参照するが，しかし，これらのデータユニットはエラーを含むことができる。受信ピア２５は，受信したデータユニット２２’内のデータシンボルに基づいて，より上位レイヤのデータユニットを再編成する。図２の例では，これによりデータユニット２１’が生成され，その後，このデータユニット２１’がより上位レイヤＬ（ｍ＋１）へ送られる。使用する特定のプロトコルによって異なるが，データユニット２１’は常に，送信されたより上位レイヤのデータユニット２１の完全に正確なコピーであるか，又は，エラーを含んだデータデータユニットであってよい。これ自体は技術上知られているため，ここではさらに詳細な説明を省く。
【０００８】
送信ピア２４と受信ピア２５の間における送信の品質を改善する機構として，受信ピア２５にフィードバックメッセージ２３を送信させ，これがメッセージ２３’として受信ピア２４に到着することが知られている。レイヤＬｍの送信ピア２４と受信ピア２５の観点から，これらが再びレイヤＬｍでの通信接続１２上で送信される。受信したメッセージ２３’には，これが例えば送信エラーのために送信するフィードバックメッセージ２３と異なることを示すために，参照符号２３’を用いている。これらのエラーは，例えば冗長性情報の補助により訂正可能，又は訂正不能であるが，使用されている特定のプロトコルによって異なる。技術上よく知られているように，フィードバックメッセージの構造とその内部に含まれている情報も，やはり使用されている特定のプロトコルによって異なる。この一例として，フィードバックメッセージは，送信されたデータユニット２２の正確な受信を肯定するいわゆる肯定応答（ＡＣＫ）の形式，及び／又は，受信ピア２５が，正確に受信されなかったデータユニット２２を明確に識別する非肯定応答（ＮＡＣＫ）の形式であってよい。なお，肯定応答メッセージが，受信した，肯定応答を誘発したデータユニットを識別する必要は必ずしもないが，しかし例えば，データユニットのシーケンスの，一番最後に正確に受信したデータユニット２２の識別のみを行う場合であってもよい（図１参照）。これにより，一番最後に正確に受信したデータユニットに続くデータユニットが正確に受信されず，これに後続するデータユニットが正確に受信される，いわゆる肯定応答複製の現象が生じる。
【０００９】
このようなフィードバック機構の一例にはＡＲＱ(自動リピート要求)機構が挙げられるが，この機構はよく知られているためこれ以上の詳細な説明は省略する。別のフィードバック機構の例は，送信ピアが，受信したデータユニットの状態に関する情報について受信ピアをポーリングするものである。
【００１０】
フィードバックメッセージが送信ピアから送信されたデータユニットの受信に関する情報を有するようなフィードバック機構を使用する場合，送信ピアはデータユニットの送信側伝送記録（ｓｅｎｄｅｒ−ｓｉｄｅ  ｔｒａｎｓｍｉｓｓｉｏｎ  ｒｅｃｏｒｄ）を保持することができ，この送信側伝送記録の内部において，各データユニットは送信側伝送状態情報（ｓｅｎｄｅｒ−ｓｉｄｅ  ｔｒａｎｓｍｉｓｓｉｏｎ  ｓｔａｔｕｓ  ｉｎｆｏｒｍａｔｉｏｎ）に関連している。保持される伝送状態情報のタイプは，特定のプロトコルと，さらに恐らくはプロトコル実現とに依存する。例えば，伝送状態情報は，単に「正確に受信済み」と「正確に受信されていない」を区別するものであってよい。又は，「正確に受信されていない」をさらに，「送信済みで，正確に受信されていない」及び「未送信」により詳細に区別することも可能である。同様に，データユニットに関連して，再送信の試みの回数，信頼性情報，キューイング回数，時間スタンプ，又は優先順位といったさらなる情報を記録することが可能である。ここでも，これは特定のプロトコル及び特定の実現に依存する。
【００１１】
図５は，データユニットのシーケンスが左から右へ，上から下へ概略的に命令される略図を示している。この例では，印を付けたデータユニット１４，１５，２９，４２，５１，５３は「正確に受信されていない」状態に関連している。さらにこの例では，９１番目のデータユニットに続くデータユニットは「未送信」状態に関連している。
【００１２】
通信レイヤＬｍにより提供された通信接続１２上でのデータユニット２２を伝送する伝送制御は，このような送信側伝送記録に基づいて実行される。例えば，「正確に受信されていない」状態に関連するデータユニットを，特定の条件下で再送信することができる。技術上知られているように，再送信のための正確な条件はプロトコルによって異なる。
【００１３】
送信側伝送状態情報と類似して，受信ピア２５は，内部にて各データユニットが受信側伝送状態情報に関連している，データユニットの受信側伝送記録を保持することもできる。受信側のこの伝送状態情報は，特定のプロトコル，及び恐らくは特定のプロトコル実現とに依存する。例えば，この情報は，単純に「正確に受信済み」状態と「正確に受信されていない」状態との間の区別によって構成することができる。この区別をより詳細に，例えば，正確に受信されなかったデータユニット内の程度の異なるエラーを識別できるようにすることも可能である。受信側伝送記録は，少なくとも，送信されたデータユニット２２に含まれるデータシンボルのシーケンスを再編成するために，受信ピア２５によって使用される。
【発明の開示】
【発明が解決しようとする課題】
【００１４】
今日の通信システムでは，例えば図２の例に示すプロトコルレイヤＬｍのような所与のプロトコルレイヤによって提供された通信接続内で切替えを実行することが知られている。このような切替えは，所与の送信ピア２４，受信ピア２５の対の間に提供された通信接続１２の再構成によって，又は，新規ピアの対へのハンドオーバによって構成することができる。技術上知られているように，内部システムハンドオーバ又はイントラシステムハンドオーバのような様々なハンドオーバ状況が可能である。通信接続のハンドオーバ先である新規ピアの対が，先行の通信接続と同一の送信ピア又は同一の受信ピアであるが，同時にこれに関連した新規のピアを備えることも可能である。同様に，新規ピアの対は，先行の対と同一のプロトコル，又はレイヤＬｍの異なるプロトコルによって提供されることができる。
【００１５】
既存の技術では，所与のレイヤ（例えば，図２の例に示すレイヤＬｍ）により提供された通信接続においてこのような切替えが生じる場合に，従来の手順は，送信バッファ及び受信バッファをフラッシングし，より上位レイヤからのさらなるデータシンボルの到着を待ち，切替えられた通信接続に基づいて送信を継続することで構成される。したがって，バッファ・フラッシングによりデータ損失を生じる結果を招くが，この損失を，より上位レイヤのプロトコルの機構，例えばレイヤＬ（ｍ＋１），又は図２の例に示す上位レイヤによって実現されるＡＲＱ機構によって回復する必要がある。
【００１６】
本発明の目的は，データシンボルのシーケンス伝送又は所定の通信レイヤによって提供された通信接続において，切替えを実行するための改善された方法を提供することである。
【課題を解決するための手段】
【００１７】
この問題は，独立請求項の方法によって，また，独立請求項４９の通信装置によって解決する。有利な実施形態は，各々の従属請求項に記載されている。
【００１８】
したがって，本発明によれば，データシンボルのシーケンス内の基準シンボルを識別すること，データシンボルのシーケンス内で基準シンボルに続くデータシンボルを，新規データ生成スキームに基づいて，新規データユニットのシーケンスに分割すること，伝送状態情報のための所定のマッピング動作によって新規の送信側伝送記録を生成すること，所定のマッピング動作に基づく受信側伝送状態情報のマッピングで新規の受信側伝送記録を生成することにより，図２に示すレイヤＬｍのような所定の通信レイヤにてデータユニットの伝送を切替えることができる。次に，新規の送信側伝送記録を基にして，さらなる伝送制御が実行され，また，新規の受信側伝送記録を基にして受信側でデータシンボルの再編成が実行される。受信側伝送記録は，フィードバックメッセージを生成する基準としても使用されることが好ましい。例えば，受信側は，状態レポートを，受信した全てのデータユニットに関する状態情報，例えばこれら受信したデータユニットが正確に受信したのか否かに関する状態情報を含んだ，第１のタイプのフィードバックとして生成し，これらの状態レポートを送信側へ送信することができる。このような状態レポートは受信側の主導で，又は送信側からの要求に応じて生成することができる。
【００１９】
本発明の概念に基づけば，送信側伝送記録及び受信側伝送記録に含まれる情報は損失されない。むしろ，この情報は，それぞれ新規の送信側伝送記録及び受信側伝送記録上にマッピングされるか，又は変換される。従来の技術では，送信側伝送記録と受信側伝送記録は単純に削除されるため，この情報が失われる。したがって，本発明では，データの不必要な損失を防止し，このようなデータの不必要な再送信を防止することにより，より効率的な手続き的処理を実行することができる。
【発明を実施するための最良の形態】
【００２０】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００２１】
まず，図１，図２に関連して前述した状況を考慮する。すなわち，所定の通信レイヤＬｍにおける送信ピア２４と受信ピア２５の間には，ピア・トゥ・ピアの通信接続１２が設けられている。通信接続１２は，データシンボルのシーケンスを伝送するべく機能する。データシンボルはより上位レイヤのデータユニット２１の形式で供給できるが，しかしこれ以外のあらゆる形で，例えば単純に，認識可能な構造をそれ以上設けられていないストリームとして供給することも可能である。データシンボルのシーケンスは，任意タイプのデータシンボル及び任意のベーシック表示を使用でき，すなわち，２進数，３進数等であってよい。例えば，データシンボルはビットであってよい。
【００２２】
次のような通信接続を仮定し，すなわち，所定のスキームに従って生成されたデータユニット２２が送信され，フィードバック機構が実現され，このフィードバック機構に従って受信ピア２５がフィードバックメッセージ２３を送信ピア２４へ送信するが，この場合，フィードバックメッセージ２３は，そのデータユニット２２の受信時に情報として含まれている。前述したように，送信ピア２４は送信側伝送記録を保持し，受信ピア２５は受信側伝送記録を保持している。
【００２３】
図４に示した実施形態では，データシンボルの伝送に切替え（又は，変更）が生じていると仮定している。この切替えは様々なイベント，例えば所与のピア・トゥ・ピアの通信接続の再構成，又は第１ピアの対から別のピアの対へのハンドオーバによって誘発される。このようなイベントに応答して，図４に示す手順が開始される。まず，第１ステップＳ４１では，複数のデータシンボルからなるシーケンス内から基準シンボルが識別される。所与のデータシンボルを選択する上で適切又は望ましい任意の選択方法が選ばれる。例えば，データシンボルを，既存の送信側伝送記録及び／又は受信側送信記録に基づいて選ぶことができる。例えば，データユニットのシーケンス中で正確に受信されなかったデータユニットの最下の第１データシンボルを選ぶことができる。図５の例を見ると，これは，データユニット番号１４の第１データシンボルである。しかし，基準シンボルは，これ以外の構造，例えば，送信ピア２４がデータユニット２２を生成する際に基準となる，より上位レイヤのデータユニット２１に基づいて選択することができる。所定の通信レイヤＬｍに供給された上位レイヤのデータユニットを，基準シンボルを定義する上での基準として使用する場合には，受信ピアによって全てのデータシンボルが基準シンボルとして正確に受信された最後の上位レイヤのプロトコルのデータユニットに続く，上位レイヤのプロトコルのデータユニットの第１データシンボルを決定することが好ましい。換言すれば，基準シンボルは，受信ピア２５が受信処理状態にあるがまだ完全及び正確には受信していない，より上位レイヤＬ（ｍ＋１）のデータユニット（データユニット２１）の第１データシンボルとなるよう選択される。
【００２４】
上述した例は，基準シンボルを，複数のこのようなデータシンボルを含んだ構造に基づいて選択する場合を示しているが，原則として，あらゆる任意のデータシンボルを選択することが可能である。換言すれば，基準シンボルは，データユニットのこのシーケンスのデータユニット内に存在するデータシンボルであってもよい。
【００２５】
図４を参照すると，データシンボルの伝送を切替える手順はステップＳ４２へと続き，ここでは，伝送中のデータシンボルのシーケンス内の基準シンボルに続くデータシンボルが，新規データユニット生成スキームに基づいて，新規のデータユニットの新規シーケンスに分割される。この新規のデータユニット生成スキームの特性は，内在する伝送の切替え理由，例えば再構成又はハンドオーバによって異なる。例えば，初期データユニット生成スキームと新規データ生成スキームとの違いは，新規データユニット生成スキームが，初期データユニットのサイズとは異なる所定サイズの第２データユニットを生成することを含むという事実と一致する。その一例として，４０バイトの古いデータユニットサイズから７０バイトの新規データユニットサイズへの伝送を実行できる。本質的にこれは単に一例であり，任意の新規データユニット生成スキームを使用することが可能である。例えば，新規データユニット生成スキームは可変のデータユニットサイズを有することができる。
【００２６】
次に，ステップＳ４３では，古い送信側伝送記録内のデータユニットに関連した送信側伝送状態情報を，所与の送信側伝送記録用のマッピングスキームによって新規データユニット上にマッピングすることにより，新規の送信側伝送記録が生成される。換言すれば，古いデータユニットに関連した情報が，新規データユニット上にマッピング又は変換される。マッピングスキーム自体は，任意の適切又は望ましい方法での選択が可能である。すなわち，マッピングスキームは一方で，伝送状態情報に含まれているタイプの情報に依存し，また，特定の通信レイヤ及びこれに含まれるプロトコルに関連した要望及び必要性に依存する。
【００２７】
一例として，送信側伝送状態情報が「正確な受信を確認済み」状態と，「正確な受信は未確認」とを分類するものである場合，送信側伝送記録のためのマッピングスキームは：「正確な受信は未確認」状態を，「正確な受信は未確認」状態に関連する古いデータユニットに属した少なくとも１つのデータシンボルを含んだ新規データユニットの各々の上にマッピングし，また，「正確な受信を確認済み」状態を，「正確な受信を確認済み」状態に関連した古いデータユニットに全て属したデータシンボルを完全に含んでいる新規データユニットの各々の上にマッピングすることを含む。
【００２８】
これはつまり，新規データユニットが，未確認の古いデータユニットに属したシングルデータシンボルを含んでいる場合には，新規データユニットも未確認として考慮されるということである。
【００２９】
さらなる例として，「正確な受信は未確認」がさらに「送信済み，正確な受信は未確認」と「未送信」に分類されている場合には，送信側伝送記録のためのマッピングスキームは：「未送信」状態を，「未送信」状態に関連していた古いデータユニットに属した少なくとも１つのデータシンボルを含んでいる新規データユニットの各々の上にマッピングし，さらに，「送信済み，正確な受信は未確認」状態を，「送信済み，正確な受信は未確認」状態に関連していた古いデータユニットに属した少なくとも１つのデータシンボルを含み，また，「未送信」状態に関連した古いデータユニットに属したデータシンボルを含まない新規データユニットの各々の上にマッピングすることを含むことができる。
【００３０】
換言すれば，新規データユニットが，未送信である古いデータユニットに属したシングルデータシンボルを含む場合には，この新規データユニットは「未送信」状態にも関連する。これにより，「未送信」状態が「送信済み，正確な受信は未確認」状態よりも優先する。しかし，これは単に１つの可能性であり，これ以外の概念も可能である。例えば，古いデータユニットに属したデータシンボルから成る新規データユニットが「送信済み，正確な受信は未確認」，「未送信」の状態をそれぞれ有する場合には，新規データユニットは，多数のデータシンボルが属した状態と関連する形で，あるタイプの多数決定を実現することもできる。
【００３１】
図４の実施形態に戻ると，ステップＳ４３の後この手順はステップＳ４４へ進むが，ここでは，古い受信側伝送記録内の古いデータユニットに関連した受信側伝送状態情報を，受信側伝送記録のための所定のマッピングスキームに従って新規データユニット上にマッピングすることで，新規の受信側伝送記録が生成される。
【００３２】
送信側伝送記録のマッピングスキームに類似して，受信側伝送記録のためのマッピングスキームを適切又は望ましいものとして選ぶことができる。その特性は，受信側伝送状態情報に含まれている情報のタイプによって，また，所与の通信レイヤ及びこれに含まれるプロトコルに関連した要望及び要求によって異なる。例えば，受信側伝送状態情報が「正確に受信済み」と「正確に受信されていない」の間に分類されている場合には，受信側伝送記録のためのマッピングスキームは：「正確に受信されていない」状態を，「正確に受信されていない」状態に関連した古いデータユニットに属した少なくとも１つのデータシンボルを含んでいる新規データユニットの各々の上にマッピングし，また，「正確に受信済み」状態を，「正確に受信済み」の状態に関連した古いデータユニットに属したデータシンボル全てを完全に含んでいる新規データユニットの各々の上にマッピングすることを含むことができる。
【００３３】
換言すれば，この例では，新規データユニットに，正確に受信されなかった古いデータユニットに属したシングルデータシンボルが含まれている場合には，この新規データユニットは「正確に受信されていない」状態にも関連している。
【００３４】
図６は，古い記録から新規記録への伝送状態情報のマッピングを概略的に示しているが，古い記録は既に図５で示したものである。この例では，送信を変更した後の新規データユニット生成スキームは，データシンボルのシーケンスに７０バイトのブロックを生成するためのものであり，古い生成スキームは４０バイト長のブロックを生成するためのものであった。図からわかるように，古いデータユニット１４，１５に関連した「正確な受信は未確認」状態が，新規データユニット８，９上にマッピングされ，同様に，古いデータユニット２９，４２，５１，５３に関連した「正確な受信は未確認」状態が，新規データユニット１７，２４，２９，３１上にマッピングされる。これは，７０バイト長の第１新規データユニットが第１の古いデータユニット（４０バイト長）及び第２の古いデータユニットの３０バイトを含む方法で動作するデータシンボルをマッピングした直接的な結果である。第２新規データユニットは，第２の古いデータユニットの残りの１０個のデータユニット，第３の古いデータユニットの４０バイト，第４の古いデータユニットの最初の２０バイト，その他を含んでいる。特定の「正確な受信は未確認」状態のマッピングは上述したとおりに実行される。つまり，「正確な受信は未確認」状態が，「正確な受信は未確認」状態に関連した古いデータユニットに属した少なくとも１つのデータシンボルを含む新規データユニットの各々の上にマッピングされる。
【００３５】
伝送状態情報内に含まれるタイプの情報は上述した例に限らず，それ以外のものであってよく，さらに例えば，或るデータユニット（例えばタイムスタンプ）に関連する１つ以上の時間値，データユニットに関連した再送信の試みの回数（リトライ回数），データユニットに関連した信頼性，データユニットに関連した優先順位又は重要性に関する情報を設けることができる。データユニットに関連した信頼性情報の一例は，データユニット内に含まれるエラー訂正情報を考慮する復号器の結果に基づくことができ，さらに，この信頼性の評価を出力することができる。優先順位情報の一例は単純なスキームであり，これにより，各データユニットが，所定数の優先値，例えば「低」，「中」，「高」，「優先順位の表示なし」の１つと関連付けられる。マッピングスキームにおけるこのような追加情報のマッピングも，やはり，特定の要望及び要求に基づき，あらゆる適切又は望ましい方法で実行することができる。例えば，古いデータユニットに関連する時間値を，上述したタイプの大多数の決定に従って新規データユニット上にマッピングすることができ，つまり，新規データユニットは，上記新規データユニット内に含まれる大多数のデータシンボルが古いデータユニット内において関連付けられている時間値に関連している。再送信試みの回数のマッピングに関しては，新規データユニットが，新規データユニット内に含まれた各データシンボルの最大数の再送信の試みに関連付けられるように，或いはこれと反対に最小数の再送信の試みに関連付けられるように実行することができる。一般に，送信ピアは，例えば５回といった所定回数を上限とする再送信のみを試みるように編成することができる。これにより，先行のオプションを選択する際に伝送制御が生じることで信頼性が低減するが，しかし，最上限の再送信の試みが実行されなかった古いデータユニット内に含まれる数個のデータシンボルが，新規データユニット内のより多くの再送信の試みと関連することで遅延が短縮されるため，このようなデータシンボルについて最上限の再送信の試みが開始されることは決してない。後者のオプションにより遅延が延長するが，しかし，実際に数個のデータシンボルが最上限よりも多い回数で頻繁に再送信されるので，信頼性が増加する。再送信が助長されるか妨害されるかによって，マッピングオプションの選択を行うことができる。信頼性情報のマッピングについても，これと類似した選択が可能である。つまり，信頼性情報が程度の異なる信頼性を表すものである場合，新規データユニットは，この新規データユニットに含まれる任意のデータシンボルの最高又は最低の信頼性に関連することができる。さらなる変形例として，新規データユニットに含まれているデータシンボルに関連する信頼性に基づき，或るタイプの平均信頼性を計算することが可能である。優先順位情報をマッピングする場合に，これと類似の選択を行うことができる。つまり，優先順位情報が，程度の異なる優先順位を表すものである場合，新規データユニットは，新規データユニット内に含まれているデータシンボルのうちいずれかの最高又は最低の優先順位に関連することができる。さらなる変形例として，新規データユニット内に含まれているデータシンボルに関連した優先順位に基づいて，或るタイプの平均優先順位を計算することができる。
【００３６】
図４に戻ると，この手順は最後にステップＳ４５へ進み，ここで，受信したデータシンボルの伝送制御及び再編成のための制御動作が，新規に生成された伝送記録に基づいて再開される。換言すれば，新規データユニットの伝送制御が，新規の送信側伝送記録に基づいて実行され，また，受信側におけるデータシンボルのシーケンスの再編成が，新規の受信側伝送記録に基づいて実行される。
【００３７】
受信側の伝送記録がさらに，フィードバックメッセージを生成する基準として使用されることが好ましい。この方法では，伝送制御も受信側の送信記録に基づく。例えば，受信側は，受信した全てのデータユニットに関する状態情報，例えばこれらが正確に受信されたか否かの状態情報を含んだタイプのフィードバックとして状態レポートを生成し，これらの状態レポートを送信側へ送信することができる。このような状態レポートは，受信側の先導で，又は送信側からの要求に応じて生成することができる。
【００３８】
図４に示した方法は単に例証でしかなく，応用が可能であることに留意すべきである。例えばステップＳ４３，Ｓ４４は，別の順序で，又は並行して実行することができる。
【００３９】
先に既に述べたように，伝送を切替える理由は多様であってよい。以下に，伝送切替えを行う多数の異なる事例について説明する。
【００４０】
第１の変形例として，所定の通信レイヤＬｍ（図２を参照）によって提供された通信接続を再構成するべく伝送を切替えることができる。この事例では，送信ピア２４と受信ピア２５に変更はない。換言すれば，これは，古い伝送記録に基づいて古いデータユニットの送信を実施し，その後，新規の伝送記録に基づいて新規データユニットの送信を実施するものと同じピアの対２４，２５である。この事例では，新規の送信側伝送記録を生成する動作は，送信ピアを提供する通信装置内で実行され，新規の受信側伝送記録の生成は，受信ピアを提供する通信装置内で実行されることが好ましい。これに関連して，一般に，所与の通信装置，例えばモバイル通信システムの移動局又は固定局が，１つ以上の通信プロトコルの１つ以上のピアを提供できることが確認された。換言すれば，ピアは，例えば通信装置内でソフトウェアにより提供される機能であってよい。
【００４１】
新規の受信側伝送記録の生成を受信側で実行し，新規の送信側伝送記録の生成を送信側で実行することが好ましいが，これは必須ではないことに留意する。すなわち，送信ピアを提供する通信装置が古い伝送記録を専用の記憶場所（例えば専用のネットワークノード）へ送信し，また，受信ピアを供給する通信装置がさらに受信側伝送記録を上記専用の記憶場所へ送信し，上記記憶場所にて新規の伝送記録の適切な生成を実行することも可能である。その後，これらの新規の伝送記録が送信及び受信ピアに供給される。
【００４２】
これ以外の伝送の切替えにつながる例には，ハンドオーバを挙げられる。図３は，ハンドオーバが生じる可能性のある一例を概略的に示す。参照符号３１は，第１アクセスポイント３２，第２アクセスポイント３３上でモバイル通信ネットワーク３４と通信するべく編成された移動局を表している。これは，単にハンドオーバを説明するための略図であり，また，実際の通信ネットワークはこれよりも遥かに多数のアクセスポイントと，遥かに多数の移動局（ｍｏｂｉｌｅ  ｓｔａｔｉｏｎ）とを備えている。
【００４３】
図３の例では，移動局３１は，第１アクセスポイント３２及び／又は第２アクセスポイント３３と通信できると仮定している。一般に，移動局３１は，アクセスポイントのうち１つとしか通信できない。アクセスポイントは，例えば２つの基地局といった同一タイプのものであるか，又は，例えば第１アクセスポイントが第１通信プロトコル又は通信システムに従ってアクセスを提供する一方で，第２アクセスポイント３３が第２プロトコル又は通信システムに従ってアクセスを提供するといった異なるタイプであってよい。後者の事例の一例には，第１アクセスポイントが，ネットワーク３４の総体的な通信基準，例えばＧＳＭ，ＧＰＲＳまたＵＭＴＳに従って動作する基地局であり，第２アクセスポイントが例えば無線ＬＡＮ（ＷＬＡＮ）であるという場合が挙げられる。
【００４４】
このような環境では，Ｌｍ通信接続（図２を参照）のハンドオーバが発生する可能性がある。ハンドオーバが発生すると，ピアの対２４，２５が扱っているＬｍレイヤ通信が新規ピアの対に提供され，その後，この新規ピアの対が，新規伝送記録に基づいて伝送制御を実行する。
【００４５】
古いピアの対から新規ピアの対へのハンドオーバが生じることで，関与する通信装置が必ず変更されるとは限らない。すなわち，同じ通信装置が，第１ピアの対と第２ピアの対を提供することも可能である。例えば，図３の例を見ると，モバイルユニット（又は，移動局）３１が第１送信ピアを提供し，アクセスポイント３２が第１受信ピアを提供し，さらに，ハンドオーバ後には，モバイルユニット（又は，移動局）３１が，第１送信ピアと異なる第２送信ピアを提供し，アクセスポイント３２が，第１受信ピアと異なる第２受信ピアを提供することができる。このようなイベント，つまり関与する通信装置に変更がないイベントでは，任意のバッファコンテンツの転送は不要である。
【００４６】
一方，ハンドオーバにより，１個又は２個の通信装置に変更が生じることも同様に可能である。図３の例では，例えばハンドオーバによって，Ｌｍ接続がモバイルユニット（又は，移動局）３１とアクセスポイント３２の間から，モバイルユニット（又は，移動局）３１とアクセスポイント３３の間へ移動する。換言すれば，モバイルユニット（又は，移動局）３１が，第１送信ピアと，恐らくは第２送信ピアを提供し（ハンドオーバの最中に，モバイルユニット（又は，移動局）における送信側が同一の送信ピアを保持するか，又は新規の送信ピアへの切り換えを行う），第１アクセスポイント３２が第１受信ピアを提供し，第２アクセスポイント３３が第２受信ピアを提供する。この場合，受信バッファも，第１アクセスポイント３２から第２アクセスポイント３３へ，送信変更の一部分としてハンドオーバされる。
【００４７】
上述の例からわかるように，ハンドオーバ後の新規ピアの対は，古い送信ピア又は古い受信ピアを，古い送信ピア又は受信ピアと異なる新規ピアと共に備えることができ，或いは，古い送信ピアと古い受信ピアと異なる２つの新規ピアを備えることができる。
【００４８】
既に先に述べたとおり，第１ピアの対又は第２ピアの対とは別の専用の記憶場所において，新規送信側伝送記録及び／又は新規受信側伝送記録を生成することが可能である。しかし，第１ピアの対から第２ピアの対へのハンドオーバと通信接続する場合，又は，第２ピアの対から第２ピアの対へのハンドオーバと通信接続する場合には，古い送信ピアにて新規送信側伝送記録を生成し，これを新規ピアの対の新規送信ピアへ転送し，古い受信ピアにて新規受信側伝送記録を生成し，これを新規ピアの対の新規受信ピアへ転送するという変更を実施することが好ましく，或いは，古い送信側伝送記録を古い送信ピアから新規ピアの対の新規送信ピアへ転送し，ここで，新規送信側伝送記録を生成し，また，古い受信側伝送記録を古い受信ピアから新規ピアの対の新規受信ピアへ転送し，ここで，新規受信側伝送記録を生成するという変更を実施することが好ましい。
【００４９】
前述したように，基準シンボルを識別するステップは，任意の適切な又は望ましい方法で実行することができる。このステップは，考察中の接続の受信側，つまり，接続再構築の場合には受信ピアによって，或いは，ハンドオーバの場合には，古い受信ピア及び／又は新規受信ピアによって実行されることが好ましい。接続の受信側が基準シンボルを識別した後に，基準シンボルの識別が完了した旨のメッセージを受信側から送信側へ送信することで，接続の送信側（再構築の場合には送信ピア，ハンドオーバの場合には古い送信ピア及び／又は新規送信ピア）に通知される。
【００５０】
本発明の概念が，所定の通信レイヤにより提供された接続上でデータユニットの送信を制御するあらゆる特定の技術から独立しているという事実に注目する。例えば，この送信制御は，スライディング・ウインドウ技術，ＱｏＳ等のレートベースの技術等に基づいて実施できる。スライディング・ウインドウ技術を使用する場合には，送信制御を新規データユニット及び新規送信側伝送記録に基づいて開始する際に，基準シンボルをデータシンボルのシーケンスに関連したスライディング・ウインドウの初期ローエンド（又は，一番低い設定）として選択することが好ましい。
【００５１】
図６に示す例では，古いデータユニットに含まれるデータシンボルの量は一定である（この例では４０バイト）。しかし，本発明の概念は決してこの方法に制限されるものではない。つまり，本発明は，古いデータユニット内に含まれているデータシンボルの数を変更可能になっているシステムのコンテキスト内に適用することもできる。換言すれば，本発明は，古いデータユニット内のペイロードサイズ（図１の参照符号１１）が変更可能である際にも適用が可能である。この場合，本発明の好ましい実施形態は，通信接続の受信側にて新規受信側伝送記録が生成され，次に，通信接続の送信側が，古いデータユニットの各々内に含まれている，受信側が正確に受信しなかったデータシンボルの数に関する情報を受信側へ送信する形で編成されている。
【００５２】
送信側は，この情報を，その古い送信側伝送記録，つまり，送信側伝送記録が「正確な受信は未確認」の状態情報を保持しているか否か，又は受信側が最初にどの古いデータユニットが受信側によって正確に受信されなかったかを表す要求メッセージを送信者側へ送信するか否かに基づいて送信する。上述した記述にあるように，「送信側」という用語は，再構築の場合には送信ピアを，ハンドオーバの場合には古い送信ピア及び／又は新規送信ピアを示し，また，「受信側」という用語は，再構築の場合には受信ピアを，ハンドオーバの場合には古い受信ピア及び／又は新規受信ピアを示す。
【００５３】
上述の，所定の通信レイヤに提供された接続上で伝送を制御する方法の記述からわかるように，本発明はさらに，通信装置を制御する方法，及びこのような通信装置自体にも関連する。
【００５４】
例えば，これによって本発明は，データシンボルのシーケンスを送信するために，所定の通信レイヤによって提供された接続の送信ピアとして動作するよう編成された方法及び通信装置にも関連する。この方法及び装置は，第１データユニット生成スキームに基づいて，データシンボルのシーケンスを第１の（つまり古い）データユニットのシーケンスに分割し，また，データユニットの第１の（古い）送信側伝送記録に基づいて，接続の受信ピアへの，第１データユニットの送信を制御するよう編成されており，ここで，上記データユニットの各々は送信者側伝送状態情報に関連している。より詳細には，この方法及び通信装置は，データシンボルのシーケンス内の基準シンボルを取得することで，データシンボルの伝送を切替え，データシンボルのシーケンス内の上記基準シンボルに続くデータシンボルを，第２データユニット生成スキームに基づいて，第２の（つまり新規）データユニットのシーケンスに分割し，さらに，第１の送信側伝送記録内のデータユニットに関連する送信側伝送状態情報を，送信側伝送記録用の所定のマッピングスキームに従って，第２データユニット上にマッピングし，その後，第２送信側伝送記録に基づいて第２データユニットの伝送を制御することにより，第２の（新規）送信側伝送記録を生成するように編成される。
【００５５】
データシンボルの分割及び新規送信側伝送記録の生成を実行する様々な実現性は先述した通りである。そのため新たな説明は不要である。しかしながら，基準シンボルは，任意の望ましい又は適切な方法で取得することができ，例えば，送信ピアとして動作する通信装置によって基準シンボルを生成でき，又は，通信ネットワーク内の専用のポイントといった別のソースから，或いは受信側から基準シンボルを受信できる。先述した例にあるように，受信側が基準シンボルを，送信ピアとして動作する通信装置へ通信することが好ましい。
【００５６】
さらに本発明は，ハンドオーバ後に新規送信ピアとして動作するよう編成された通信装置及び通信装置を制御する方法にも関する。これにより，この方法及び通信装置は，接続の先行の送信ピアから，データシンボルのシーケンスと，第１データユニット生成スキームに従って生成されたデータユニットの第１の（古い）送信側伝送記録とを受信するように編成される。さらに，この方法及び通信装置は，データシンボルのシーケンス内の基準シンボルを，例えば上記通信装置において実現される手順によって，又は受信側のような異なるソースから取得するように編成されている。次に，この方法及び通信装置は，先述したとおりに，つまり，データシンボルのシーケンス内の基準シンボルに続くデータシンボルを，第２データユニット生成スキームに基づいて第２（新規）データユニットのシーケンスに分割し，また，第１の送信側伝送記録内のデータユニットに関連した送信者側伝送状態情報を，送信側伝送記録のための所定のマッピングスキームに従って，第２のデータユニット上にマッピングし，その後，第２の送信側伝送記録に基づいて，接続上で第２データユニットの送信を制御することで，第２の送信側伝送記録を生成するように編成されている。
【００５７】
基準シンボルを取得し，データシンボルを分割し，古い送信記録を新規の送信記録内にマッピングするための使用可能で好ましい実施形態は先述した通りであるため，新たな説明は省く。
【００５８】
さらに，本発明は，所定の通信レイヤによって提供された通信接続の受信ピアとして動作するべく通信装置を制御する方法，及びこれに関連する，第１データユニットの第１の（古い）受信側伝送記録を保持し，データシンボルのシーケンスをこの第１受信側伝送記録に基づいて再編成することで，第１（古い）送信を実行するよう編成された通信装置に関する。
【００５９】
恐らく，第１の受信側伝送記録は，受信側へフィードバックメッセージを生成するためにも使用される。さらに，この方法及び通信装置は，データシンボルのシーケンス内の基準シンボルを取得し，データシンボルのシーケンス内の基準シンボルに続くデータシンボルを，第２データユニット生成スキームに基づいて，第２（新規）データユニットに分割し，受信側伝送記録のための所定のマッピングスキームに従って，第１の受信側伝送記録内のデータユニットに関連する受信側伝送状態情報をマッピングすることで，第２の受信側伝送記録を，第２データユニット上に生成し，さらに，第２の受信側伝送記録に基づいてデータシンボルのシーケンスを再編成することにより，データシンボルの送信を変更するように編成されている。再び，第２の受信側伝送記録はさらに受信側へフィードバックメッセージを生成するためにも使用することができる。
【００６０】
基準シンボルを取得し，データシンボルを分割し，新規の受信側伝送記録を生成するための使用可能で好ましい実施形態は先述の実施形態のものと同一であるため，新たな記述は省く。しかしながら，受信ピアとして動作する通信装置が，基準シンボルを識別する手順を実行することで，この受信ピアとして動作する通信装置が，上記通信装置にて動作する手順によって基準シンボルを取得できることが好ましいことに留意する。
【００６１】
さらに本発明は，所定の通信レイヤによって提供された通信接続の受信ピアとして動作する通信装置を制御する方法と，さらに，これに関連する，通信接続の先行の受信ピアから，データシンボルのシーケンスと第１の受信側伝送記録とを受信するよう編成された通信装置とに関する。さらに，この装置及び方法は，データシンボルのシーケンス内の基準シンボルを取得し，データシンボルのシーケンス内の基準シンボルに続くデータシンボルを，第２データユニット生成スキームに基づいて第２データユニットのシーケンスに分割し，さらに，第１の受信側伝送記録内のデータユニットに関する受信側伝送状態情報を，受信側伝送記録のための所定のマッピングスキームに従って第２データユニット上にマッピングすることで，第２の受信側伝送記録を生成し，さらに，この第２の受信側伝送記録に基づいてデータシンボルのシーケンスを再編成するように編成されている。第２の受信側伝送記録は，受信側にフィードバックメッセージを生成するためにも使用できる。
【００６２】
基準状態記号を取得し，データシンボルを分割し，第２の受信側伝送記録を生成するための使用可能で好ましい実施形態は先述したとおりであるため，新たな記述は省略する。
【００６３】
さらに本発明は，データシンボルのシーケンスを送信するための所定の通信レイヤによって提供された送信の送信ピアとして動作する通信装置を制御する方法，上記接続に実現されるフィードバック機構に関し，このフィードバック機構によって，接続の受信ピアが，接続の送信ピアにフィードバックメッセージを送信し，上記フィードバックメッセージが，通信接続上で送信されたデータユニットの受信に関する情報を備えており，上記方法及び装置が，上記通信接続の先行の送信ピアから，データシンボルのシーケンスと，所与のデータユニット生成スキームに従って生成されたデータユニットの（新規の）送信側伝送記録とを受信するよう編成されており，この記録において，各データユニットが送信側伝送状態情報と関連付けられており，この場合，先述したように，先行の送信ピアが，古い送信記録に基づいて新規の伝送記録を生成する。さらにこの方法及び装置は，データシンボルを，所与のデータユニット生成スキームに基づいてデータユニットのシーケンスに分割し，次に，上記受信した送信側伝送記録に基づいて，上記接続上で上記データユニットの送信を制御するよう編成されている。受信した送信側伝送記録に基づく制御は初期制御であり，さらなるデータユニットを送信し，関連するフィードバックメッセージを受信する工程中に，この送信側伝送記録が変更されることに留意する。
【００６４】
さらに，本発明は，データシンボルのシーケンスを送信するための所定の通信レイヤによって提供された通信接続の受信ピアとして動作する通信装置を制御する方法に関し，上記接続についてフィードバック機構が実現され，これに従って，接続の受信ピアがフィードバックメッセージを接続の送信ピアへ送信し，上記フィードバックメッセージが，接続上で送信されたデータユニットの受信に関する情報を備えており，上記方法及び装置が，上記接続の先行の（古い）受信ピアから，データシンボルのシーケンスと，所定のデータユニット生成スキームに従って生成されたデータユニットの新規の受信側伝送記録を受信するよう編成されており，この記録内で，各データユニットが受信側伝送状態情報に関連付けられており，ここで，古い受信ピアが新規の受信側伝送記録を生成する。さらにこの方法は，上記所定のデータユニット生成スキームに従って生成された上記接続データユニットを送信ピアから受信し，その後，上記第２受信側伝送記録に基づき，前記データシンボルのシーケンスを再編成する。換言すれば，受信ピアとして動作する通信装置が，接続の先行の受信ピアから，使用する受信側伝送記録を受信する。受信した受信側伝送記録に基づく制御は初期制御であり，この受信側伝送記録は，さらなるデータユニットを受信し，関連するフィードバックメッセージを送信する工程の最中に変更されることに留意する。
【００６５】
さらに本発明は，データシンボルのシーケンスを送信するために所定の通信レイヤによって提供された接続の，送信ピアとして動作する通信装置を制御する方法に関し，上記接続にフィードバック機構が実現され，これに従って，接続の受信ピアが接続の送信ピアへフィードバックメッセージを送信し，上記フィードバックメッセージは，接続上で送信されたデータユニットの受信に関する情報を含んでおり，上記方法及び装置は，次の方法で上記送信を実施するように編成されており，この方法がつまり，上記データシンボルのシーケンスを第１データユニット生成スキームに基づいて第１データユニットのシーケンスに分割し，また，内部で各データユニットが送信側伝送状態情報に関連付けられているデータユニットの第１送信側伝送記録に基づいて，上記第１データユニットの，上記通信接続の受信ピアへの伝送を制御し，この方法は，データシンボルのシーケンスと送信側伝送記録を別の通信装置へ転送することで，上記データシンボルの送信を変更することを特徴とする。この別の通信装置へ転送された送信側伝送記録は，第１（古い）送信側伝送記録，又は第２（新規）送信側伝送記録であってよい。後者の場合には，上記伝送の切替えはさらに，データシンボルのシーケンス内の基準シンボルを取得し，該データシンボルのシーケンス内の上記基準シンボルに続くデータシンボルを，第２データユニット生成スキームに基づいて，第２データユニットのシーケンスに分割し，上記第１送信側伝送記録内のデータユニットに関連した上記送信側伝送状態情報を，送信側伝送記録のための所定のマッピングスキームに従って，上記第２データユニット上にマッピングすることで，第２送信側伝送記録を生成することを含む。
【００６６】
基準状態記号を取得し，データシンボルを分割し，第２受信側伝送記録を生成するための使用可能で好ましい実施形態は先述したものと同一であるので，新たな説明は省略する。
【００６７】
本発明はさらに，データシンボルのシーケンスを送信するために，所定の通信レイヤによって提供された接続の受信ピアとして動作する通信装置を制御する方法に関し，上記接続についてフィードバック機構が実現され，これに従って，接続の受信ピアが，接続の送信ピアへフィードバックメッセージを送信し，上記フィードバックメッセージが，通信接続上で送信されたデータユニットの受信に関する情報を備えており，上記方法及び装置が，所定のデータユニット生成スキームに従って生成された上記接続データユニットの送信ピアから受信し，さらに，第１（古い）受信側伝送記録に基づいて，上記データシンボルのシーケンスを再編成することで上記送信を実行するべく編成されており，この方法は，データシンボルのシーケンスと受信側伝送記録を別の通信装置へ転送することで，上記データシンボルの伝送を切替えることにより特徴付けられている。別の通信装置へ転送された受信側伝送記録は，第１（古い）受信側伝送記録，又は第２（新規）受信側伝送記録であってよい。後者の場合，上記伝送の切替えがさらに，データシンボルのシーケンス内の基準シンボルを取得し，データシンボルのシーケンス内の前記基準シンボルに続くデータシンボルを，第２データユニット生成スキームに基づいて第２データユニットのシーケンスに分割し，さらに，上記第１受信側伝送記録内のデータユニットに関連した上記受信側伝送状態情報を，受信側伝送記録のための所定のマッピングスキームに従って，上記第２データユニット上にマッピングすることで，第２受信側伝送記録を生成する。
【００６８】
基準状態記号を取得し，データシンボルを分割し，第２受信側伝送記録を生成するための使用可能で好ましい実施形態は先述したものと同一であるので，新たな記述は省略する。
【００６９】
上述の実体，つまり送信ピア及び受信ピアは，ハードウェア，ソフトウェア，又はハードウェアとソフトウェアの任意の適切な組み合わせによって提供できる。これにより，本発明による通信装置を制御するこの方法は，さらに，コンピュータプログラム又はコンピュータプログラム製品の形態であってよく，また，このコンピュータプログラム実行時にこの制御方法を提供することが可能になっている。そのため，本発明はさらに，このようなコンピュータプログラム又はコンピュータプログラム製品を保持するデータキャリアの形態にて実現できる。
【００７０】
本発明の通信装置は，上述の方法を実現するよう編成された任意の通信装置であってよい。しかしながら，本発明の通信装置は，モバイル通信システムの一部分，例えばこのようなモバイル通信システムのモバイルユニット又は固定ユニットであることが好ましいが，これは，上述したタイプの再構成及び／又はハンドオーバがこのような通信システム内に設けられることが多いためである。
【００７１】
本発明を詳細な実施形態に基づいて説明したが，本発明が，より広範囲にわたる理解を提供するためのみに役立つこれらの詳細な実施形態に限定されることは決してない。むしろ，本発明の範囲は，付属の特許請求の範囲によって定義される。特許請求の範囲に示した参照符号は，請求項をより読み易くするためのものであり，制限するためのものではない。
【図面の簡単な説明】
【００７２】
【図１】データユニットのシーケンスに分割されたデータシンボルのシーケンスの略図である。
【図２】所与の通信レイヤにおける送信ピアと受信ピアの略図である。
【図３】通信装置の構成を概略的に示す説明図である。
【図４】本発明の基本的な実施形態のフローチャートを示す図面である。
【図５】送信側伝送記録の略図を示す図面である。
【図６】新規伝送記録上への古い伝送記録のマッピングの略図を示す図面である。
【図１】
2006515482.tif 000003
【図２】
2006515482.tif 000004
【図３】
2006515482.tif 000005
【図４】
2006515482.tif 000006
【図５】
2006515482.tif 000007
【図６】
2006515482.tif 000008
【手続補正書】
【提出日】平成17年2月18日(2005.2.18)
【手続補正１】
【補正対象書類名】特許請求の範囲
【補正対象項目名】請求項４７
【補正方法】変更
【補正の内容】
【請求項４７】
プログラムコード手段を備え，コンピュータ読み取り可能な記録媒体に記録されるコンピュータプログラム製品であって：
請求項３〜４６のいずれか１項に記載の方法を通信装置に実行させることを特徴とする，コンピュータプログラム製品。
【手続補正２】
【補正対象書類名】明細書
【補正対象項目名】００１３
【補正方法】変更
【補正の内容】
【００１３】
送信側伝送状態情報と類似して，受信ピア２５は，内部にて各データユニットが受信側伝送状態情報に関連している，データユニットの受信側伝送記録を保持することもできる。受信側のこの伝送状態情報は，特定のプロトコル，及び恐らくは特定のプロトコル実現とに依存する。例えば，この情報は，単純に「正確に受信済み」状態と「正確に受信されていない」状態との間の区別によって構成することができる。この区別をより詳細に，例えば，正確に受信されなかったデータユニット内の程度の異なるエラーを識別できるようにすることも可能である。受信側伝送記録は，少なくとも，送信されたデータユニット２２に含まれるデータシンボルのシーケンスを再編成するために，受信ピア２５によって使用される。ＵＳ−Ａ−５，８７２，７７７号は，パケットデータ通信システム内でデータパケットを伝送する方法及び装置を採用するパケットデータ通信システムについて記述している。第１通信装置は，初回にて，第１グループのデータパケットを送信し，２回目にて，第１グループの受信の肯定応答を受信する前に，第２グループのデータパケットを第２通信装置へ送信する。２つのグループの各々のデータパケットはそれぞれ対応するパケットシーケンス番号を含み，第２グループは，第１グループのデータパケットを少なくとも数個含んでいる。第１通信装置は，各グループ内のデータパケットのパケットシーケンス番号を，それぞれ対応するグループのグループ識別子と共にメモリ内に記録する。第２通信装置は，第１グループ，第２グループ，又はこれら両方を受信すると，少なくとも１つのグループの受信を示す肯定応答を送信する。ここで，肯定応答は少なくとも受信追跡番号を含んでいる。肯定応答を受信すると，第１通信装置は，少なくとも受信追跡番号に基づいて，受信した肯定応答が関連するデータパケットのグループを決定する。次に，第１通信装置は，肯定応答がどのグループに関連しているかに基づき，第３グループのデータパケットを第２通信装置へ送信する。ＵＳ−Ａ−５，２１０，７５１号はメッセージ送信局について記述しており，このメッセージ送信局では，転送される信号が複数のタイムスロットに分割され，エラー訂正／検出コードが各タイムスロットに追加され，さらに，メッセージのユニット内の再送信シーケンス命令番号，再送信番号，端末装置のアドレス指定ＩＤが特定のタイムスロットに追加される。次に，タイムスロットのデータがメッセージ送信局からメッセージ受信局へ送信される。メッセージ受信局では，再送信シーケンス命令番号とアドレスを含むデータユニットを復調及び復号することにより，抜けている命令番号がないか否かが決定される。さらに，復調，復号されたデータユニット内に含まれるシーケンス番号と，各データユニット内のデータがメッセージ受信局に到達している，条件の表示として最後に受信されたシーケンス番号との間の比較の結果に従って再送信要求信号が転送される。さらに，任意の指定された，及び全てのタイムスロットのうち少なくとも１つが，メッセージ受信局より供給された再送信要求信号に従って，メッセージ送信局から再送信される。


【国際調査報告】
2006515482.tif 000009
2006515482.tif 000010